(57)【特許請求の範囲】
【請求項１】
すりおろし器であって、
受け器を形成するために協力している周辺壁部構造および基部を含むハウジングであって、前記受け器から遠ざかる方向に延びる裾の部分を含み、下に位置する支持面上の正しい位置に前記ハウジングを保持するために、ユーザの手を係合させることができるハウジングと、
前記ハウジングに取り付けられているブレードと
前記ハウジングに着脱自在に接続されるカバーとを備え、
前記裾の部分が、該裾の部分および前記下に位置する支持面を同時に係合させるために、把持位置にユーザの手を受けるようになっており、
前記カバーが突出部材を含み、該突出部材は、前記受け器内に溜まった流体をすりおろし器から排出するためのすき間を注ぎ口と協力して形成するために、前記注ぎ口を覆うように配置されるように形成され、
前記突出部材が、前記裾の部分の隣接する部分と協力して、間隔を置いて配された支持体を形成して、前記支持面上にすりおろし器がほぼ垂直に立つことができるようにしている、すりおろし器。
【請求項２】
前記ハウジングの裾の部分に接続しているグリップを含む請求項１に記載のすりおろし器。
【請求項３】
前記グリップが、ポリマーおよびエラストマーからなるグループから選択した材料のうちの少なくとも１つからできている請求項２に記載のすりおろし器。
【請求項４】
前記ハウジングが、前記受け器から流体を排出するように動作することができる注ぎ口を形成する請求項１に記載のすりおろし器。
【請求項５】
前記ハウジングが、ステンレス鋼、木材、ガラス、ポリマーおよびエラストマーからなるグループから選択した材料のうちの少なくとも１つからできている請求項１に記載のすりおろし器。
【請求項６】
前記ブレードが、複数の開口部を形成し、これら開口部に隣接する複数の突起を含む請求項１に記載のすりおろし器。
【請求項７】
前記突起が、２つの異なるサイズを有する請求項６に記載のすりおろし器。
【請求項８】
前記突起が、各開口部の各側面上に位置し、実質的に内側を向いている請求項６に記載のすりおろし器。
【請求項９】
食品を処理するためのすりおろし器であって、
容器から下方に及び遠ざかる方向に延びる裾の部分を含む容器と、
前記裾の部分に取り付けられ、下に位置する支持面に沿った前記容器の運動を阻止するように位置するグリップと、
前記容器に取り付けられているブレードとを備え、
前記裾の部分および取り付けられているグリップが把持位置にユーザの手を受けるようになっていて、ユーザの手が前記取り付けられているグリップおよび前記下に位置する支持面と同時に係合して、前記下に位置する支持面上の正しい位置に前記容器をしっかりと保持するようになっており、前記グリップが実質的に滑らない材料からできており、
前記容器に着脱自在に接続されるカバーを含み、
前記カバーが突出部材を含み、この突出部材は、前記容器内に溜まった流体をすりおろし器から排出するためのすき間を注ぎ口と協力して形成するために、前記注ぎ口を覆うように配置され形成され、
前記突出部材が、前記裾の部分の隣接する部分と協力して、間隔を置いて配された支持体を形成して、前記支持面上にすりおろし器がほぼ垂直に立つことができるようにする、すりおろし器。
【請求項１０】
前記グリップが、ポリマーおよびエラストマーからなるグループから選択した材料のうちの少なくとも１つからできている請求項９に記載のすりおろし器。
【請求項１１】
前記容器が、該容器から流体を排出するように動作することができる注ぎ口を形成する請求項９に記載のすりおろし器。
【請求項１２】
前記ハウジングが、ステンレス鋼、木材、ガラス、ポリマーおよびエラストマーからなるグループから選択した材料のうちの少なくとも１つからできている請求項９に記載のすりおろし器。
【請求項１３】
前記ブレードが、複数の開口部を形成し、これら開口部に隣接する複数の突起を含む請求項９に記載のすりおろし器。
【請求項１４】
前記突起が２つの異なるサイズである請求項１３に記載のすりおろし器。
【請求項１５】
前記突起が、各開口部の各側面上に位置し、実質的に内側を向いている請求項１３に記載のすりおろし器。
【請求項１６】
前記グリップが、前記裾の部分の下を延びる請求項９に記載のすりおろし器。
【請求項１７】
前記グリップが、前記裾の部分を覆っている請求項９に記載のすりおろし器。
【発明の詳細な説明】
【技術分野】
【０００１】
本発明は、一般的には、台所用品または器具に関し、特に食品をカットしたり、スライスしたり、またはすりおろしたりする食品用すりおろし器に関する。
【背景技術】
【０００２】
様々な方法で食品をカットしたり、磨砕したり、スライスしたり、すりおろしたり、または処理したりするいくつかの異なるタイプの台所用品または器具が使用されている。これらの機器のうちのあるものを使用すれば、ユーザは手動で食品を処理することができる。例えば、フードミルは、通常、容器、容器の底部に位置するブレード、ブレードに接続している取っ手部分を含む。ユーザは、容器内に挿入した食品を処理する目的で、食品に応じてブレードを回転または旋回させるために取っ手を回転させ或いは旋回させる。処理された食品は、フードミルの底部から出て、ボウルのような別の容器内に落下する。
【０００３】
他の手動機器としては、チーズすりおろし器、または野菜すりおろし器のような従来の手持のすりおろし器がある。このようなすりおろし器は、通常、ブレードを含む比較的薄いハウジングを有する。ブレードは、いくつかの開口部、およびこれらの開口部に隣接して位置する比較的小さなブレード状の突起を含む。ユーザは、一方の手ですりおろし器を保持し、食品を小片にカットまたはスライスするために、ブレードの頂面上のチーズのブロックのような食品を手動でスライドさせる。食品の小片または粒子は、すりおろし器の底面からボウルのような別の容器内に落下する。
【０００４】
他のすりおろし器は、容器とブレードとを組み合わせて１つの装置にしている。これらのすりおろし器は、通常、開口部を形成している容器、および開口部内に位置するブレード部分を含む。また、これらの容器のうちのあるものは、すりおろし器の一方の端部から延びていて、すりおろし器を運びおよび／または保持するために使用する取っ手を含む。通常、ユーザは、一方の手で延びている取っ手を握り、食品を小さな粒子にカットまたはスライスするために、上記のように他方の手でブレード上の食品をスライドまたは移動させる。カットまたはスライスされた粒子は、ブレードの底面から容器内に落下する。容器内の処理した食品を取り出すためには、ブレードが取り外される。
【０００５】
従来の食品すりおろし器の１つの問題は、ブレードに沿って食品をスライドまたは移動しながら、側面から延びる取っ手により食品すりおろし器を正しい位置に保持するのが難しいことである。ブレード上の食品の移動に関連する力は、食品の運動と同じ方向にすりおろし器全体を移動させようとする。一方の手によりこれらのすりおろし器を正しい位置に保持するのは難しい。何故なら、すりおろし器を抑えつけるために取っ手に下向きの力を加えると、すりおろし器は傾斜したり揺れたりする傾向があるからである。その結果、これらのタイプのすりおろし器により食品をすりおろすのが難しくなり、時間がかかることになる。
【０００６】
従来の容器／ブレード・タイプのすりおろし器のもう１つの問題は、これらのすりおろし器が使用中頻繁にスリップしたり、動いたりすることである。ある状況の場合には、ユーザは、スリップを最小限度に少なくするために、濡れたタオルまたは布をすりおろし器の下に置く。別の方法としては、ある種の食品すりおろし器は、脚の底部に取り付けられている滑らないまたはスリップしない材料を有する足部または脚部を含む。他の食品すりおろし器は、スリップまたはスライドを防止するために、すりおろし器の底部に取り付けられている滑らないまたはスリップしないパッドを有する。しかし、このような食品すりおろし器を正しい位置に保持するのは依然として難しい。何故なら、すでに説明したように、これらのすりおろし器上に取っ手を正しい位置に保持するのは難しく、食品すりおろし器を支持している表面に対して食品すりおろし器を保持するのが難しいからである。
【発明の開示】
【発明が解決しようとする課題】
【０００７】
それ故、ユーザが、一方の手ですりおろし器のブレード部分上を食品をスライドさせながら、他方の手で支持面上の正しい位置に食品すりおろし器を、しっかりと保持することができる改良形の食品すりおろし器が求められている。
【課題を解決するための手段】
【０００８】
本発明は、すりおろし器、特に、ユーザが、食品をすりおろしている間、支持面に対してすりおろし器をしっかりと保持することができる食品用のすりおろし器に関する。
【０００９】
本発明のすりおろし器の一実施形態は、受け器を形成するために協力する周辺壁部構造および基部を含むハウジングを提供する。ハウジングは、受け器から遠ざかる方向に延びている裾の部分を含み、この裾の部分は下に位置する支持面上の正しい位置にハウジングを保持するためにユーザの手で係合することができる。すりおろし器は、また、ハウジングに取り付けられたブレードを含む。裾の部分は、裾の部分および下に位置する支持面を同時に係合させるために、把持位置にユーザの手を受ける。
【００１０】
ある実施形態の場合には、すりおろし器は、ハウジングの裾の部分と接続しているグリップを含む。他の実施形態の場合には、グリップは、ポリマーおよびエラストマーからなるグループから選択した材料のうちの少なくとも１つからできている。
【００１１】
ある実施形態の場合には、ハウジングは、受け器から流体を排出するように動作することができる注ぎ口を形成する。
【００１２】
他の実施形態の場合には、ハウジングは、ステンレス鋼、木材、ガラス、ポリマーおよびエラストマーからなるグループから選択した材料のうちの少なくとも１つからできている。
【００１３】
ある実施形態の場合には、ブレードは、複数の開口部を形成していて、開口部に隣接する複数の突起を含む。一実施形態の場合には、突起は２つの異なるサイズである。他の実施形態の場合には、突起は、各開口部の各側面上に位置していて、実質的に内側を向いている。
【００１４】
ある実施形態の場合には、すりおろし器はハウジングに着脱自在に接続されるカバーを含む。
【００１５】
他の実施形態の場合には、カバーは突出部材を含み、この突出部材は、受け器内に溜まった流体をすりおろし器から排出するためのすき間を注ぎ口と協力して形成するために、注ぎ口を覆うように配置され形成されている。
【００１６】
ある実施形態の場合には、突出部材は、裾の部分の隣接する部分と協力して、すりおろし器が支持面上にほぼ垂直に立つことができるように、間隔を置いて配された支持体を形成する。
【００１７】
本発明の他の実施形態は容器を含む食品処理用のすりおろし器を提供し、容器はこの容器から下方に遠ざかる方向に延びる裾の部分を含む。裾の部分は、下に位置する支持面上の正しい位置に容器を保持するためにユーザの手により係合することができる。すりおろし器は、支持面に沿った容器の動きを防止するために、裾の部分に取り付けられているグリップを含む。また、すりおろし器は、容器に取り付けられているブレードを含む。裾の部分および取り付けられているグリップは、把持位置にユーザの手を受けるようになっている。この場合、ユーザの手は、支持面上の正しい位置に容器をしっかりと保持するために、裾の部分および取り付けられているグリップのうちの少なくとも一方、および下に位置する支持面と同時に係合する。
【００１８】
ある実施形態の場合には、グリップはほとんどスリップを起こさない材料からできている。
【００１９】
他の実施形態の場合には、グリップは、ポリマーおよびエラストマーからなるグループから選択した材料のうちの少なくとも１つからできている。
【００２０】
他の実施形態の場合には、容器は、容器から流体を排出するように動作することができる注ぎ口を形成する。
【００２１】
ある実施形態の場合には、ハウジングは、ステンレス鋼、木材、ガラス、ポリマーおよびエラストマーからなるグリップから選択した材料のうちの少なくとも１つからできている。
【００２２】
他の実施形態の場合には、ブレードは、複数の開口部を形成し、開口部に隣接する複数の突起を含む。
【００２３】
ある実施形態の場合には、突起は２つの異なるサイズである。他の実施形態の場合には、突起は、各開口部の各側面上に位置していて、実質的に内側を向いている。
【００２４】
他の実施形態の場合には、すりおろし器は容器に着脱自在に接続されるカバーを含む。
【００２５】
他の実施形態の場合には、カバーは突出部材を含み、この突出部材は、受け器内に溜まった流体をすりおろし器から排出するためのすき間を注ぎ口と協力して形成するために、注ぎ口を覆うように配置され形成されている。
【００２６】
ある実施形態の場合には、突出部材は、裾の部分の隣接する部分と協力して、すりおろし器が支持面上にほぼ垂直に立つことができるように、間隔を置いて配された支持体を形成する。
【００２７】
それ故、本発明の利点は、使用中、容易に制御することができ、非常に安定しているすりおろし器を提供することである。
【００２８】
本発明のもう１つの利点は、使い易いすりおろし器を提供することである。
【００２９】
本発明のもう１つの利点は、見た目に美しく、食事中テーブルで使用するのに適しているすりおろし器を提供することである。
【００３０】
本発明のもう１つの利点は、製造が容易で製造コストが安いすりおろし器を提供することである。
【００３１】
本発明のもう１つの利点は、おろした食品からの流体を除去し、排出するためにストレーナとして動作するのに協力する注ぎ口およびブレードを有するすりおろし器を提供することである。
【００３２】
本発明のもう１つの利点は、保管スペースを最大限に活用するために水平または垂直に保管することができるすりおろし器を提供することである。
【００３３】
本発明の他の特徴および利点は、添付の図面を参照しながら下記の詳細な説明を読めば理解することができるだろう。図面中、類似の参照番号は、類似の部材、素子、構成要素、段階および工程を示す。
【発明を実施するための最良の形態】
【００３４】
図１、図１Ａ、図２、図３、図４および図５を参照すると、一実施形態の場合には、すりおろし器１００はハウジングまたは容器１０１を含む。ハウジング１０１は、２つの側壁部１０４および２つの端壁部１０５を有する周辺壁部構造１０２を含む。構造１０２は下端を底壁部ないし基部１０６で閉ざされていて、この底壁部ないし基部と協力して、カットし、スライスし、またはおろした食料または食品を収容するための、頂部が開いている受け器１０７を形成する。側壁部１０４および端壁部１０５の下端部は、ほぼテーパ状のまたは湾曲した形をしている。端壁部１０５および側壁部１０４は、任意の適当な角度で傾斜または傾いていてもよいし、また適当な構成を有していてもよいことを理解されたい。
【００３５】
図の実施形態の場合には、ハウジング１０１は外壁部または裾の部分１０８を含み、この外壁部または裾の部分は、周辺壁部構造１０２と接続していて、そこから、ハウジングの基部１０６から遠ざかる方向へ、下方および横方向に外側に延びる。外壁部または裾の部分は、ハウジングの周囲または周辺の一部から、またはハウジングの全周囲または周辺から延びることができることを理解されたい。図の実施形態の場合には、裾の部分１０８の下端部または底端部は、ハウジング１０１の底面または基部１０６とほぼ同じ平面内に位置することができる。裾の部分１０８は、ハウジングの頂部、ハウジングの底部またはハウジング上の任意の中間の位置から延びることができることを理解されたい。図３および図４に示すように、裾の部分１０８の下端部または底端部は、ハウジング１０２の底壁部または基部１０６とほぼ同じ平面内に位置していて、そこから横方向に外側に間隔を置いて配されている。裾の部分１０８の底部を、任意の適当な１つまたは複数の面内に配置することができることを理解されたい。外壁部または裾の部分１０８により、ユーザは、裾の部分１０８の頂部上に手を平らに置いて、支持面１３０に対してすりおろし器１００をしっかりと保持することができる。
【００３６】
一実施形態の場合には、ハウジング１０１の側壁部１０４および端壁部１０５の頂部は、側壁部および端壁部の一部から垂れ下がるリップ１１０を含む。図の実施形態の場合には、リップ１１０は、ハウジング１０１と一体に形成されている。
【００３７】
一実施形態の場合には、ブレード部分またはブレード１１１は、頂部が開いている受け器１０７上に位置していて、ハウジング１０１内に位置するか、これに取り付けられている。ブレード１１１は、ブレード１１１をハウジングに取り付けることができるように、ハウジング１０１のリップ１１０の上を延びるフランジ１１２を含む。ブレード１１１は、図３および図４に示すように、ハウジング１０２の頂部上に自由に動けるように設置することができ、頂部が開いている受け器１０７内に位置することができる。別の方法としては、ブレード１１１を、ハウジング１０１が形成する開口部内に設置し、摩擦フィットまたはスナップ・フィット接続するようにハウジングに接続することができる。そのため、ブレードは周辺を下に延びる壁部１１４を有する。
【００３８】
図の実施形態の場合には、ハウジング１０１は、すりおろし器をストレーナとして使用することができるように、一方の端部のところに注ぎ口１０９を形成する。すりおろし器の使用中または使用後、受け器１０７内に溜まったすべての流体を排出または注ぐために、ユーザはブレード１１１を含むハウジング１０１を傾斜したり、傾けたりする。図１、図２および図４に最もはっきり示すように、ブレード１１１は丸い突出部材１１３を含み、この部材は注ぎ口１０９を覆うような寸法であり配置である。図１および図４に示すように、突出部材１１３は、注ぎ口１０９の開口部と突出部材１１３の間にすき間または空間を形成するために、注ぎ口１０９の一部上を延びる。すき間は、受け器１０７内に溜まった流体または液体を、注ぎ口１０９から容器、シンク等内に注ぐことができ、一方、カットし、スライスし、またはおろした食品を容器内に保管することができるような寸法である。注ぎ口１０９および突出部材１１３は、任意の適当なサイズまたは形状を有することができ、またハウジング上の任意の適当な位置に位置することができることを理解されたい。
【００３９】
一実施形態の場合には、ブレード１１１は、複数の開口部または孔部１１６を形成する。開口部または孔部１１６は、開口部のいくつかのグループが、ブレード上にいくつかの角度で位置する開口部または孔部のいくつかのグループに分けることができる。１つまたは複数の開口部１１６または開口部のグループをブレード上に同じまたは異なる角度で位置させることができることを理解されたい。また、開口部を任意の適当な構成または配置で位置させることができることを理解されたい。
【００４０】
図の実施形態の場合には、複数の第１の突起または第１の切断部材１１８が、開口部または孔部１１６に隣接して位置していて、ブレード１１１の頂面からほぼ上方に遠ざかる方向に延びる。複数の第２の突起または第２の切断部材１２０も、開口部または孔部１１６に隣接して位置していて、交互に第１の突起１１８間に位置する。図の実施形態の場合には、第１および第２の突起は、各開口部１１６の周囲付近に位置している。第１の突起１１８は第２の突起１２０より大きい。第１および第２の突起は任意の適当な大きさまたは形状のものであってもよく、また開口部１１６の一部または全周囲にまたはブレード１１１上の任意の適当な位置に位置することができることを理解されたい。
【００４１】
図１Ａを参照すると、第１および第２の突起１１８および１２０は、各開口部１１６の上で内側に傾いている。第１および第２の突起の角度は、任意の適当な１つの角度または複数の角度であってもよいことを理解されたい。また、少なくとも１つ、複数またはすべての第１の突起は、第２の突起のうちの１つまたは複数から同じまたは異なる角度で位置することができることも理解されたい。第１および第２の突起は、ブレード１１１の頂面上をスライドし、移動する食品と係合する。第１および第２の突起１１８および１２０は、ほぼ上方に延びていて、食品の少なくとも一部に食い込み、食品の一部をカットし、スライスしまたはすりおろす。カットされ、スライスされ、またはすりおろされた食品の一部または粒子は、ブレード１１１の底部上の開口部１１６を通って移動し受け器１０７内に落下する。
【００４２】
一実施形態の場合には、グリップ１２２またはグリップ部分は、ハウジングに接続している。グリップ１２２は、Ｓａｎｔｏｐｒｅｎｅ（商標）の名で販売されているタイプのものであってもよい適当なエラストマーのようなほとんど滑ったりスリップしない材料からできている。図の実施形態の場合には、グリップ１２２は、ハウジング１０１に取り付けられているか、その上に成形されていて、裾の部分１０８の全外面および周辺壁部構造１０２の上端部をカバーしている。グリップ１２２は、図３および図４に最もはっきり示すように、裾の部分１０８の底縁部の一部の下を延びる。グリップ１２２は、裾の部分の下またはハウジングの底壁部の一部または全部の下を延びることができることを理解されたい。図の実施形態の場合には、グリップ１２２は、ハウジング１０１のほぼ周囲全体を延びる。グリップ１２２は、ハウジングの一部の周囲または全周囲を延びることができることを理解されたい。グリップ１２２は、全体的に、ポリマーおよびエラストマーのうちの一方からできている。グリップ１２２は、ユーザの手に快適なクッション感覚の表面を提供し、また、すりおろし器が食品を切断またはすりおろしている間に、支持面１３０に沿ったすりおろし器のスライド運動を最小限度に低減するのを助ける。
【００４３】
動作中、ユーザは、すりおろし器を、テーブルの頂部またはカウンタの頂部のような、ほぼ平面状の平らな、または下に位置する支持面１３０上に置き、そこでは、ハウジング１０１の底部または基部１０６、より詳細に説明するとグリップ１２２が支持面１３０と接触する。次に、ユーザは、支持面上の正しい位置にすりおろし器を安定させてしっかりと保持するためにグリップ１２２の少なくとも一部上にそして同時に支持面の一部上に一方の手を平らに置く。ユーザは、他方の手を使用して、ブレード１１１の頂面上で野菜またはチーズのブロックのような食品を保持し、スライドしまたは移動する。カットした、スライスしたまたはすりおろした食品は、ハウジング１０１が形成する頂部が開いている受け器１０７内に下方に落下する。すりおろした食品は、所望の量のおろした食品が受け器内に溜まるまで容器内に保管される。それ故、すりおろし器１００は、ユーザが、１つまたは複数の食品をすりおろしている間、すりおろし器を容易にまたしっかりと正しい位置に保持することができるようにしている。
【００４４】
図２を参照すると、一実施形態の場合には、すりおろし器１００はカバー１２６を含み、このカバーはタブ１２４によりハウジング１０１にスナップ止めするか、または接続する。より詳細に説明すると、ハウジング１０１上のタブ１２４は、図３に最もはっきり示すように、カバー１２６の内面上に形成されている対応する凹部１１５と係合するか、または嵌入する。タブ１２４および凹部１１５の係合により、カバー１２６はハウジング１０１としっかり固定する。カバー１２６は、また、必要に応じてハウジング１０１から取り外すこともできる。カバー１２６は、ハウジング１０１および／またはブレード１１１の材料と同じ材料または異なる材料から作ることができる。図の実施形態の場合には、タブ１２４はハウジング１０１と一体に形成されている。別の方法としては、タブ１２４を、カバー１２６上に形成し、ハウジング１０１上に形成されている開口部または孔部と係合させることができる。ハウジング１０１にカバー１２６を接続し、または固定するために任意の適当な１つまたは複数の接続具を使用することができることを理解されたい。
【００４５】
本発明のすりおろし器は、キャビネット、引き出しまたは他の保管場所に水平にまたは垂直に保管するように構成されている。図５の場合には、すりおろし器１００は、支持面１３０上にほぼ直立状態すなわち垂直に立っている。すりおろし器１００を直立状態すなわち垂直に立てるために、注ぎ口１０９を含むすりおろし器の端部は支持面１３０上に置かれる。この位置において、注ぎ口１０９、より詳細に説明すると、注ぎ口をカバーしているカバー１２６の一部、および裾の部分１２２は、ほぼ同じ平面内に位置していて、その端部上にすりおろし器１００を立てるために脚部または支持体として機能するように、それぞれ支持面１３０と接触する。図５に示す直立状態すなわち垂直位置にすりおろし器１００を保管することにより、キャビネット内、カウンタ頂部および他の保管場所上でのすりおろし器のために必要な保管スペースを有意に最小限度に低減する。
【００４６】
すりおろし器のハウジング、ブレードおよび他の構成要素は、ステンレス鋼、木材、ガラス、ポリマーおよび／またはエラストマー、またはこれらの材料の任意の適当な組合せのような任意の適当な１つまたは複数の材料から作ることができる。すりおろし器は、また任意の適当な形状または構成になるように作ることもできるし、任意の適当な装飾的な１つまたは複数のパターンを含むこともできる。
【００４７】
現時点で最も実用的であり、最も好ましい実施形態と考えられる実施形態を参照しながら本発明を説明してきたが、本発明は、開示の実施形態に限定されるものではなく、特許請求の範囲の精神および範囲内に含まれる種々の修正および等価の配置をカバーするものであることを理解されたい。特許請求の範囲に記載する本発明の新規ないくつかの態様から逸脱することなしに、本発明を種々に修正および変更することができ、本出願は特許請求の範囲によってだけ制限される。
【図面の簡単な説明】
【００４８】
【図１】本発明のすりおろし器の一実施形態の頂部斜視図である。
【図１Ａ】図１のブレード上に形成されている複数の突起を示す、図１の１Ａ−１Ａ線にほぼ沿って切断した拡大部分斜視図である。
【図２】カバーを含む図１のすりおろし器の分解斜視図である。
【図３】図２の３−３線にほぼ沿って切断した断面図である。
【図４】図２の４−４線にほぼ沿って切断した断面図である。
【図５】保管のために支持面上に垂直に立っているすりおろし器を示す、カバーを含む図１のすりおろし器の実施形態の側面図である。
【符号の説明】
【００４９】
１００  すりおろし器
１０１  ハウジング
１０２  周辺壁部構造
１０４  側壁部
１０５  端壁部
１０６  基部
１０７  受け器
１０８  裾の部分
１１０  リップ
１１１  ブレード
１１２  フランジ
１１３  突出部材
１１４  壁部
１１５  凹部
１１６  孔部
１１８  第１の突起
１２０  切断部材
１２２  グリップ
１２４  タブ
１２６  カバー
１３０  支持面
【図１】
0005140250.tif 000002
【図１Ａ】
0005140250.tif 000003
【図２】
0005140250.tif 000004
【図３】
0005140250.tif 000005
【図４】
0005140250.tif 000006
【図５】
0005140250.tif 000007